(57)【特許請求の範囲】
【請求項１】
第１の印刷モードと、前記第１の印刷モードよりもプロセススピードの遅い第２の印刷モードを有する画像形成装置であって、
現像装置と感光体ドラムとの間に印加される現像バイアスは、直流成分に交流成分を重畳してなるバイアス電圧であり、
前記第１の印刷モードにおける現像バイアスの直流成分と、前記第２の印刷モードにおける現像バイアスの直流成分とは、プロセススピードに応じて変化させないものであり、
前記第２の印刷モードにおける現像バイアスの交流成分のピークトゥピークは、前記現像装置における現像剤の残量に関わらず、前記第１の印刷モードにおける現像バイアスの交流成分のピークトゥピークよりも低く設定されていることを特徴とする画像形成装置。
【請求項２】
請求項１に記載の画像形成装置であって、
（前記第１の印刷モードでの交流成分のピークトゥピーク）に対する（前記第２の印刷モードでの交流成分のピークトゥピーク）の電圧差は、５０Ｖ以上２００Ｖ以下の範囲に設定されていることを特徴とする画像形成装置。
【請求項３】
請求項１に記載の画像形成装置であって、
（前記第１の印刷モードでの交流成分のピークトゥピーク）に対する（前記第２の印刷モードでの交流成分のピークトゥピーク）の減少率は、５％以上２５％以下の範囲に設定されていることを特徴とする画像形成装置。
【請求項４】
請求項１から３の何れか一項に記載の画像形成装置であって、
前記第１の印刷モードは、記録用紙として普通紙を用いる場合の印刷モードであり、
前記第２の印刷モードは、記録用紙として普通紙よりも坪量の大きい厚紙を用いる場合の印刷モードであることを特徴とする画像形成装置。
【請求項５】
請求項１から４の何れか一項に記載の画像形成装置であって、
前記第１の印刷モードおよび前記第２の印刷モードは、それぞれ１種類のプロセススピードで印字を行うことを特徴とする画像形成装置
【請求項６】
請求項１から５の何れか一項に記載の画像形成装置であって、
現像バイアスの直流成分を変更するプロセスコントロールが可能であり、
前記第１の印刷モードおよび前記第２の印刷モードのどちらか一方でプロセスコントロールが行われることによって変更された現像バイアスの直流成分は、他方の印刷モードに切り替えられた後もそのまま引き継がれることを特徴とする画像形成装置。
【発明の詳細な説明】
【技術分野】
【０００１】
本発明は、用紙の種類に応じてプロセススピードを変更して印字を行う画像形成装置に関する。
【背景技術】
【０００２】
従来、画像形成装置では、使用される用紙の種類に応じて用紙の搬送速度や定着時の加熱温度を制御する技術がある。例えば、特許文献１には、用紙が厚紙（もしくはＯＨＰシート）の場合、通常使用される普通紙よりも用紙の搬送速度を低くする、すなわち、プロセススピードを遅くすることが開示されている。
【０００３】
普通紙にトナーを定着する場合と、厚紙にトナーを定着させる場合とを比べると、厚紙の方がより加熱量を大きくする必要がある。そこで、厚紙を用いる場合には、定着装置で十分に用紙が加熱されるように通紙速度を遅くしている。この場合、定着工程のみで通紙速度を遅くすることは困難であるため、現像工程等の他の工程を含むプロセス全体でプロセススピードを遅くする必要がある。
【０００４】
このように厚紙使用時にプロセススピードを遅くすると、定着工程は良好に行えるものの、現像工程においては感光体ドラム上（１次転写上）のトナー付着量が変わり、厚紙へのトナー付着量が普通紙へのトナー付着量より多くなる。これについては、一般的には厚紙使用時に現像バイアスの印加電圧（直流成分）を低下させ、トナー付着量を抑制することが考えられる。
【０００５】
しかしながら、普通紙使用時と厚紙使用時とで現像バイアスの印加電圧（直流成分）を変化させて、トナー付着量を揃えたとしても、これだけで印字品質が同じになるとは限らない。特許文献２では、厚紙使用時でプロセススピードを遅くする場合には、現像ＡＣバイアスの周波数およびピークトゥピークを大きくすることで、カブリを抑止することが開示されている。
【先行技術文献】
【特許文献】
【０００６】
【特許文献１】特開平８−３０５２１８号公報
【特許文献２】特開２００７−１２１９０６号公報
【発明の概要】
【発明が解決しようとする課題】
【０００７】
特許文献２では、普通紙使用時と厚紙使用時との印字品質を揃えるために、特にカブリの問題を解消する技術を開示している。しかしながら、印字品質に関しては、カブリ以外に細線再現性の問題がある。普通紙使用時と厚紙使用時とで現像バイアスの印加電圧（直流成分）を変化させる従来方法では、普通紙使用時と厚紙使用時とで細線の印字幅に変化が生じるといった細線再現性にも問題がある。
【０００８】
また、プロセスコントロールを実施して現像バイアスの印加電圧（直流成分）を調整した場合には、普通紙使用時に対し、厚紙使用時における細線再現性がより低下することが見出された。
【０００９】
本発明は、上記課題に鑑みてなされたものであり、用紙の種類に応じてプロセススピードを変更する画像形成装置において、プロセススピードが異なる場合であっても、印字品質が同程度となるようにすることを目的とする。
【課題を解決するための手段】
【００１０】
上記の課題を解決するために、本発明は、第１の印刷モードと、前記第１の印刷モードよりもプロセススピードの遅い第２の印刷モードを有する画像形成装置であって、現像装置と感光体ドラムとの間に印加される現像バイアスは、直流成分に交流成分を重畳してなるバイアス電圧であり、前記第１の印刷モードにおける現像バイアスの直流成分と、前記第２の印刷モードにおける現像バイアスの直流成分とは同じであり、前記第２の印刷モードにおける現像バイアスの交流成分のピークトゥピークは、前記第１の印刷モードにおける現像バイアスの交流成分のピークトゥピークよりも低く設定されていることを特徴としている。
【００１１】
上記の構成によれば、第２の印刷モードにおいて、プロセススピードを遅くすることによる画像濃度の増加と、交流成分のピークトゥピーク（Ｖpp）を小さくすることによる画像濃度の低下とのバランスが取られる。これにより、プロセススピードの遅い厚紙印刷モード第２の印刷モードでも、第１の印刷モード時と同程度の画像濃度を得ることができる。また、第２の印刷モードにおける細線の太さも、第１の印刷モード時と同程度の太さとすることができ、細線再現性も良好なものとすることができる。
【００１２】
また、上記画像形成装置では、（前記第１の印刷モードでの交流成分のピークトゥピーク）に対する（前記第２の印刷モードでの交流成分のピークトゥピーク）の電圧差は、５０Ｖ以上２００Ｖ以下の範囲に設定されていることが好ましい。
【００１３】
また、上記画像形成装置では、（前記第１の印刷モードでの交流成分のピークトゥピーク）に対する（前記第２の印刷モードでの交流成分のピークトゥピーク）の減少率は、５％以上２５％以下の範囲に設定されていることが好ましい。
【００１４】
また、上記画像形成装置では、前記第１の印刷モードは、記録用紙として普通紙を用いる場合の印刷モードであり、前記第２の印刷モードは、記録用紙として普通紙よりも坪量の大きい厚紙を用いる場合の印刷モードである構成とすることができる。
【００１５】
また、上記画像形成装置では、前記第１の印刷モードおよび前記第２の印刷モードは、それぞれ１種類のプロセススピードで印字を行う構成とすることができる。
【００１６】
また、上記画像形成装置では、現像バイアスの直流成分を変更するプロセスコントロールが可能であり、前記第１の印刷モードおよび前記第２の印刷モードのどちらか一方でプロセスコントロールが行われることによって変更された現像バイアスの直流成分は、他方の印刷モードに切り替えられた後もそのまま引き継がれる構成とすることができる。
【００１７】
上記の構成によれば、第１の印刷モードおよび第２の印刷モードで現像バイアスの直流成分が変化しないため、どちらか一方の印刷モーでプロセスコントロールが行われることによって変更された現像バイアスの直流成分は、他方の印刷モードに切り替えられた後もそのまま引き継ぐことが可能となる。この場合も、第１の印刷モードと第２の印刷モードとで同程度の印字品質を得ることができる。
【発明の効果】
【００１８】
本発明の画像形成装置は、第２の印刷モードにおいて、プロセススピードを遅くすることによる画像濃度の増加と、交流成分のピークトゥピーク（Ｖpp）を小さくすることによる画像濃度の低下とのバランスが取られることで、第１の印刷モードと第２の印刷モードとで同程度の印字品質を得ることができるといった効果を奏する。
【図面の簡単な説明】
【００１９】
【図１】本発明の一実施形態を示すものであり、画像形成装置の概略構成を示す断面図である。
【図２】図１の画像形成装置における画像形成プロセスを説明する図である。
【図３】図１の画像形成装置における現像装置の一部と感光体ドラムとの駆動部を示す斜視図である。
【図４】現像バイアスの電圧波形を示す波形図である。
【図５】普通紙印刷モードと厚紙印刷モードとの切替制御を行うための制御系を示すブロック図である。
【図６】普通紙印刷モードと厚紙印刷モードとの切替タイミングを説明するフローチャートである。
【図７】普通紙印刷モードと厚紙印刷モードでのトナー付着量測定および細線再現性について実験結果を示す表である。
【発明を実施するための形態】
【００２０】
以下、本発明の実施の形態について、図面を参照して詳細に説明する。図１は、画像形成装置１００の概略構成を示す断面図である。図２は、画像形成装置１００における画像形成プロセスを説明する図である。
【００２１】
画像形成装置１００は、図１に示すように、本体部１１０、原稿読取部１２０、および原稿搬送装置１３０を具備して構成されている。本体部１１０は、記録用紙に画像を印字するための画像形成部を内部に有している。原稿読取部１２０は、本体部１１０の上方に配置され、原稿のコピーを行う際に原稿の読取を行う。
【００２２】
原稿搬送装置１３０は、原稿読取部１２０の上に配置され、装置リア側を支点にして上方に回動し、装置の手前側が開放されるようになっている。また、原稿搬送装置１３０は、自動読み取りモードでは、原稿セットトレイ上に載置された原稿を原稿読取部１２０の原稿載置台上に向かって順次搬送する。
【００２３】
画像形成装置１００において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、画像形成装置１００は、ブラック、シアン、マゼンタ、及びイエローに対応付けられた４つの画像ステーションＰａ、Ｐｂ、Ｐｃ、Ｐｄを有しており、各色に応じた４種類のトナー像を形成することができる。画像ステーションＰａ、Ｐｂ、Ｐｃ、Ｐｄのそれぞれは、現像装置１２、感光体ドラム１３、ドラムクリーニング装置１４、及び帯電器１５を備えている（図２参照）。
【００２４】
また、光走査装置１１は、画像ステーションＰａ、Ｐｂ、Ｐｃ、Ｐｄにおいて共通化されている。具体的には、光走査装置１１は、一つのポリゴンミラーと、４つの半導体レーザ（図示せず）を備えている。それぞれの半導体レーザより出射されるレーザ光は、回転するポリゴンミラーによって、それぞれ異なる光路上を主走査方向に走査されると共に、レンズやミラー等の光学部材を介して、各画像ステーションＰａ、Ｐｂ、Ｐｃ、Ｐｄの感光体ドラム１３表面に入射する。
【００２５】
各画像ステーションＰａ、Ｐｂ、Ｐｃ、Ｐｄのいずれにおいても、感光体ドラム１３へのトナー像形成は以下の手順で行われる。まず、ドラムクリーニング装置１４により感光体ドラム１３の表面の残留トナーを除去及び回収した後、帯電器１５により感光体ドラム１３の表面を所定の電位に均一に帯電させる。次に、光走査装置１１により感光体ドラム１３の表面を露光して、その表面に静電潜像を形成し、現像装置１２により該静電潜像を現像する。これにより、各感光体ドラム１３の表面に各色のトナー像が形成される。
【００２６】
引き続いて、中間転写ベルト２１を周回移動させつつ、ベルトクリーニング装置２２により中間転写ベルト２１の残留トナーを除去及び回収した後、各感光体ドラム１３表面の各色のトナー像を、転写部１６（転写ローラ１６Ａおよび電源１６Ｂ）によって中間転写ベルト２１に順次転写して重ね合わせる。これにより、中間転写ベルト２１上にカラーのトナー像を形成する。
【００２７】
中間転写ベルト２１と２次転写装置２３の転写ローラとの間にはニップ域が形成されており、用紙搬送路を通じて搬送されて来た記録用紙をそのニップ域に挟み込んで搬送する。その際、中間転写ベルト２１表面のカラーのトナー像が記録用紙上に転写される。そして、定着装置１７の加熱ローラと加圧ローラとの間に記録用紙を挟み込んで加熱及び加圧し、記録用紙上のカラーのトナー像を定着させる。
【００２８】
一方、記録用紙は、給紙カセット１８から引出されて、用紙搬送路を通じて搬送され、２次転写装置２３や定着装置１７を経由し、排紙ローラ３２を介して排紙トレイ３３へと搬出される。用紙搬送路には、記録用紙を上記ニップ域でのトナー像の転写タイミングに合わせて搬送するレジストローラ３１、記録用紙の搬送を促す搬送ローラ、排紙ローラ３３２等が配置されている。
【００２９】
画像形成装置１００では、記録用紙に厚紙を用いる場合には、普通紙を用いる場合に比べてプロセススピードが遅くなる（印刷プロセスにおける用紙搬送速度や中間転写ベルト２１の回転速度が遅くなる）ように設定されている。これは、厚紙にトナー像を定着するための熱量が、普通紙にトナー像を定着するための熱量よりも多く必要となり、そのための熱量を定着装置１７において確保するためである。尚、普通紙よりも多くの定着熱量を必要とする記録用紙であれば、厚紙以外（例えばＯＨＰシート）であってもプロセススピードが遅くされる。
【００３０】
すなわち、本実施の形態に係る画像形成装置１００は、プロセススピードの互いに異なる少なくとも２つの印刷モードを有している。以下の説明では、画像形成装置１００が、普通紙印刷モード（第１の印刷モード）と、普通紙印刷モードよりもプロセススピードの遅い厚紙印刷モード（第２の印刷モード）とを有しているものとして説明を行う。ここでは、紙の坪量値が１０５ｇ／ｍ2以下の用紙を普通紙、紙の坪量値が１０５ｇ／ｍ2を超える用紙を厚紙とする。
【００３１】
普通紙印刷モードと厚紙印刷モードとでは、厚紙印刷モードの方が現像工程でのプロセススピードも遅くなる。本発明は、プロセススピードに応じて現像バイアスを制御し、プロセススピードの相違による現像の変化を抑制して、普通紙印刷モードと厚紙印刷モードとでの印刷品質を揃えるようにした点に特徴を有する。以下、この特徴について詳細に説明する。
【００３２】
図３は、現像装置１２の一部と感光体ドラム１３との駆動部を示す斜視図である。ここで、現像装置１２は非磁性二成分現像剤を用いる現像装置を例示し、図３では現像装置１２が有するマグネットローラ１２Ａのみを図示している（現像剤槽等は図示を省略している）。尚、マグネットローラ１２Ａは、具体的には、感光体ドラム１３と所定の間隔を空けて対向配置される円筒形状の現像スリーブと、現像スリーブの内周側に固定配置されるマグネットから構成される。現像スリーブおよび感光体ドラム１３は、それぞれがモータ５１，５２によって回転駆動される。また、現像スリーブと感光体ドラム１３との間には、現像バイアス電源１９によって現像バイアスが印加される。この現像バイアスは、図４に示すように、直流（ＤＣ）成分に交流（ＡＣ）成分を重畳してなるバイアス電圧である。
【００３３】
本実施の形態に係る画像形成装置１００は、普通紙印刷モードと厚紙印刷モードとで、現像バイアスの交流成分のピークトゥピーク（Ｖpp）を変化させることを特徴としている。具体的には、プロセススピードの遅い厚紙印刷モードでの交流成分のピークトゥピーク（Ｖpp）を、普通紙印刷モードの交流成分のピークトゥピーク（Ｖpp）よりも小さくしている。また、現像バイアスの直流成分（Ｖdc）については変化させない。
【００３４】
図４に示すような現像バイアスを印加することにより、トナーが現像スリーブと感光体ドラム１３との間を往復運動しつつ、感光体ドラム１３表面の静電潜像がトナーにより現像される。この時、現像バイアスの交流成分のピークトゥピーク（Ｖpp）を小さくするほど、感光体ドラム１３へのトナー付着量は少なくなり、画像濃度は小さくなる。
【００３５】
本実施の形態に係る画像形成装置１００では、厚紙印刷モードにおいて、プロセススピードを遅くする（単位面積あたりの現像時間が長くなる）ことによる画像濃度の増加と、交流成分のピークトゥピーク（Ｖpp）を小さくすることによる画像濃度の低下とのバランスが取られる。これにより、プロセススピードの遅い厚紙印刷モードでも、普通紙印刷モード時と同程度の画像濃度を得ることができる。また、厚紙印刷モードにおける細線の太さも、普通紙印刷モード時と同程度の太さとすることができ、細線再現性も良好なものとすることができる。
【００３６】
また、本実施の形態に係る画像形成装置１００では、普通紙印刷モードと厚紙印刷モードとで現像バイアスの直流成分は同じであるため、プロセスコントロールを両方の印刷モードで同じように実行することができる。ここでのプロセスコントロールは、連続印字等の際に、現像バイアスの直流成分を適宜調整して画像濃度を一定に保つ制御を意味する。例えば、普通紙印刷モードでの使用中にプロセスコントロールを行い、さらに、その状態で厚紙印刷モードに切り替えた場合、現像バイアスの直流成分については変化させずに、プロセスコントロールによる調整濃度をそのまま引き継いだ印字が可能となる。すなわち、普通紙印刷モードおよび厚紙印刷モードのどちらか一方でプロセスコントロールが行われることによって変更された現像バイアスの直流成分は、他方の印刷モードに切り替えられた後もそのまま引き継ぐことが可能となる。
【００３７】
図５は、本実施の形態に係る画像形成装置１００において、普通紙印刷モードと厚紙印刷モードとの切替制御を行うための制御系を示すブロック図である。図５に示すように、上記制御系は、プロセススピード制御部６１、用紙判定部６２、メモリ６３、モータ制御部６４および電源制御部６５により構成されている。尚、プロセススピード制御部６１は、普通紙印刷モードと厚紙印刷モードとの切替において、現像に係る手段のみならず、露光／転写／定着／用紙搬送等、画像形成プロセスに関る全ての手段におけるプロセススピードを制御する。しかしながら、ここでは、現像に係る手段の制御部分のみを図示している。また、プロセススピード制御部６１は、ＣＰＵ（Central Processing Unit）により構成される。
【００３８】
用紙判定部６２は、使用される記録用紙の種類を判定し、その判定結果をプロセススピード制御部６１に通知する。ここでの判定は、例えば、以下の(A)または(B)の手法により行われる。
(A) ユーザが用紙の種類を選択する場合、この選択入力信号に基づいて用紙種類を判定する。
(B) 記録用紙の厚みを検出する厚みセンサを備え、この厚みセンサの検出信号に基づいて用紙種類を判定する。
【００３９】
プロセススピード制御部６１は、用紙判定部６２から通知される用紙判定結果に基づいて普通紙印刷モードと厚紙印刷モードとの切替制御を行う。具体的には、モータ制御部６４を介してモータ５１，５２の回転速度制御を行うと共に、電源制御部６５を介して現像バイアス電源１９による現像バイアス制御を行う。上述したように、この場合の現像バイアス制御とは、現像バイアスの交流成分のピークトゥピーク（Ｖpp）を変化させる制御である。上記制御を行うに当たっての制御値はメモリ６３に予め格納されており、プロセススピード制御部６１によりメモリ６３から読み出される。
【００４０】
次に、本実施の形態に係る画像形成装置１００において、普通紙印刷モードと厚紙印刷モードとの切替タイミングについて、図６のフローチャートを参照して説明する。
【００４１】
先ず、コピーまたはプリントジョブの印刷要求が出される（Ｓ１）と、該ジョブにおいて用いられる記録用紙の種類が普通紙であるか厚紙であるかの判定がなされる（Ｓ２）。そして、Ｓ２で判定された用紙種類が、直前のジョブにおける用紙種類と同じであるか否かが判定される（Ｓ３）。同じであれば（Ｓ３でＹＥＳ）、Ｖpp値はそのままの設定から変更されること無くジョブ出力が実行される（Ｓ４）。一方、同じでなければ（Ｓ３でＮＯ）、Ｖpp値が変更されてジョブ出力が実行される（Ｓ５）。すなわち、Ｓ５では、直前のジョブが普通紙であり新たなジョブが厚紙であれば、普通紙印刷モードに対応するＶppから厚紙印刷モードに対応するＶppに変更される。また、直前のジョブが厚紙であり新たなジョブが普通紙であれば、厚紙印刷モードに対応するＶppから普通紙印刷モードに対応するＶppに変更される。尚、画像形成装置１００の起動時には、最初に現像バイアスの交流成分のピークトゥピーク（Ｖpp）は普通紙印刷モードに対応するＶppに設定されるものとする。
【００４２】
〔実施例〕
本発明の効果を確認するために、普通紙印刷モードと厚紙印刷モードでのトナー付着量測定および細線再現性について実験を行い評価した。実験は、普通紙印刷モードと厚紙印刷モードとで現像バイアスの交流成分のピークトゥピーク（Ｖpp）を異ならせた実施例１〜６と、ピークトゥピーク（Ｖpp）を同じとした比較例１について行った。実験条件は以下の通りである。
【００４３】
（トナー付着量測定）
測定方法：現像装置としてカラー複合機（商品名：ＭＸ−５１４０ＦＮ、シャープ株式会社製）の改造機を用いて現像を行い、１次転写上のトナー付着量を吸引することで測定した。
【００４４】
評価：普通紙の通紙時の１次転写上付着量と厚紙の通紙時の１次転写上付着量の差が５％以内の物を○、同１０％以内の物を△、同１０％を超える物を×とした。
【００４５】
（細線再現性）
測定方法：６００ｄｐｉで作成した主走査方向の１ライン画像を出力し、その線幅を測定した。
【００４６】
評価：普通紙の通紙時の線幅と厚紙の通紙時の線幅の差が５％以内の物を○、同１０％以内の物を△、同１０％を超える物を×とした。
【００４７】
（用紙種類）
普通紙は坪量値９０ｇ／ｍ2（商品名：Color Copy 90g、Ｍｏｎｄｉ社製）、厚紙１は坪量値１２０ｇ／ｍ2（商品名：Color Copy 120g、Ｍｏｎｄｉ社製）、厚紙２は坪量値２５０ｇ／ｍ2（商品名：Color Copy 250g、Ｍｏｎｄｉ社製）、厚紙３は坪量値３００ｇ／ｍ2（商品名：Color Copy 300g、Ｍｏｎｄｉ社製）を用いた。
【００４８】
実験結果を図７に示す。
【００４９】
まず、比較例１については、普通紙でのトナー付着量に対し、厚紙１〜３は何れもトナー付着量が１０％を超えて増加している。さらに、普通紙での細線幅に対し、厚紙１〜３は何れも細線幅が１０％を超えて減少している。すなわち、普通紙印刷モードと厚紙印刷モードとで現像バイアスの交流成分のピークトゥピーク（Ｖpp）を変化させない比較例１では、厚紙印刷モード時にプロセススピードを遅くすることによって印刷画像の画質が大きく変化している。
【００５０】
これに対し、実施例１〜６では、トナー付着量および細線幅の両方において、普通紙印刷モードと厚紙印刷モードとでの変化幅が比較例１よりも減少している。これにより、厚紙印刷モード時に現像バイアスの交流成分のピークトゥピーク（Ｖpp）を小さくすることが有効であることを示している。
【００５１】
次に、実施例１〜４の結果について考察する。実施例１〜４では、普通紙印刷モードでのＶppを９００Ｖに固定し、厚紙印刷モードでのＶppを７００Ｖ，７５０Ｖ，８００Ｖ，８５０Ｖにそれぞれ変化させている。
【００５２】
その結果、実施例１及び実施例４ではトナー付着量および細線再現性の両方共に評価は△であったが、実施例２及び実施例３ではトナー付着量および細線再現性の両方共に評価は○であった。これより、普通紙印刷モードでのＶppに対する厚紙印刷モードでのＶppの減少幅には好適範囲が存在することが示唆される。
【００５３】
次に、実施例５，６の結果について考察する。実施例５では、普通紙印刷モードでのＶppを実施例１〜４よりも大きい１１００Ｖとし、厚紙印刷モードでのＶppを９００Ｖ（普通紙印刷モードとの電圧差２００Ｖ）としている。また、実施例６では、普通紙印刷モードでのＶppを実施例１〜４よりも小さい７００Ｖとし、厚紙印刷モードでのＶppを６００Ｖ（普通紙印刷モードとの電圧差１００Ｖ）としている。実施例５及び実施例６では、トナー付着量および細線再現性の両方共に評価は○であった。
【００５４】
実施例１〜６の比較より、普通紙印刷モードでのＶppに対する厚紙印刷モードでのＶppの減少幅（電圧差）は５０Ｖ以上２００Ｖ以下の範囲とすることが好ましく、１００Ｖ以上１５０Ｖ以下の範囲とすることがより好ましい。
【００５５】
また、普通紙印刷モードでのＶppに対する厚紙印刷モードでのＶppの減少幅の好適範囲は、減少率で表すことも可能である。普通紙印刷モードでのＶppに対する厚紙印刷モードでのＶppの減少率は、実施例１では約２２％、実施例２では約１７％、実施例３では約１１％、実施例４では約６％、実施例５では約１８％、実施例６では約１４％である。これより、普通紙印刷モードでのＶppに対する厚紙印刷モードでのＶppの減少率は、５％以上２５％以下の範囲とすることが好ましく、１０％以上２０％以下の範囲とすることがより好ましい。
【００５６】
本発明は、その精神または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【符号の説明】
【００５７】
１１      光走査装置
１２      現像装置
１２Ａ    マグネットローラ
１３      感光体ドラム
１４      ドラムクリーニング装置
１５      帯電器
１６      転写部
１７      定着装置
１９      現像バイアス電源
２１      中間転写ベルト
２３      ２次転写装置
５１，５２    モータ
６１      プロセススピード制御部
６２      用紙判定部
６３      メモリ
６４      モータ制御部
６５      電源制御部
１００    画像形成装置
１１０    本体部
１２０    原稿読取部
１３０    原稿搬送装置
【図１】
0006473347.tif 000002
【図２】
0006473347.tif 000003
【図３】
0006473347.tif 000004
【図４】
0006473347.tif 000005
【図５】
0006473347.tif 000006
【図６】
0006473347.tif 000007
【図７】
0006473347.tif 000008